【手続補正書】
【提出日】平成18年1月6日(2006.1.6)
【手続補正１】
【補正対象書類名】明細書
【補正対象項目名】全文
【補正方法】変更
【補正の内容】
【発明の詳細な説明】
【発明の名称】●健康保険手袋（Ｔ．３０）  ●健康保険ハップリ、メット（Ｔ．３１）  ●健康保険襟巻（Ｔ．３２）  ●健康保険シャツ、ズボン（Ｔ．３３）  ●健康保険カラー（Ｔ．３４）  ●健康更生ネクタイ（Ｔ．３５）  ●健康保険取外し庇（Ｔ．３６）  ●健康手袋付サック、容器（Ｔ．３７）  ●耳電話（Ｔ．３８）  ●頬マスク（Ｔ．３９）
【技術分野】
【０００１】  太陽光線  パルス電子線を人体に浴びる事は、健康に良い事であったが、必要不可欠以上に、これらを浴び続けると、人体膚細胞中の中にある、ロドプシン細胞が弱体化し続け、膚細胞の甦生が及ばなくなる際、人体老化現象が始まるとする一学説的見地を唱じる時、【０００２】  従来にある、主だった技術では、太陽光線中にある、紫外線をのみ敵視する他、現、先進大国にある豊饒の現状を弁えず、人々は、コラーゲン摂取不足、栄養失調により、膚細胞構成が追いつかず、老化現象をその身に招いているとする間違えた考えかたから白髪、脱毛、膚荒れ、老化現象が生じているのではないか？とし、進歩しない物の考え方があって、多くの企業、投資家が、これら、現代にある科学を一認する．信望の元、多くの投資金を之れに排出し続け、一般大衆にあっても、膚の若返り、老化防止を志し続け、その
2005325498.tif 000001
【０００３】  筆者等、研究グループでは、新代科学の一セクトを捕らえる、解賠学的見地から、これらの実態を見る時、人体裸体部に容赫なく、日常、照射し続けるパルス電子線をして、人間のみならず、動物体表皮に、之等を必要以上に多く受注した際には、人膚細胞の中に多く存在する、（太陽光）パルス電子をインパルス電子流に変換し、蓄発電するロドプシン細胞の需用に限界を来たし、これらの細胞が乾渇し、弱体化する時、皺を起こし、この細胞の死滅するままに賄せ、膚荒れ、白髪、脱毛‥‥他、老化現象を動物体は引き起こし続ける事が発見された際、本発明品は、これら人体裸体露出部に多く振り注ぐ光を遮断し、隠し続ける事を目的として設計され、之をする事で、これらの部位に、必要以上の、光電子を受注させなくとも済み、本考案品を人体において、必要時に備え、不必要時には簡便よく、全割ジッパー等で取り外す事においても、不自然ではなく、又、使用する事の出来る技術力があり、人が神経を使う際には、より多くのパルス電子を膚細胞に受注した由以にあったからであり、本発明品のそれぞれに、小物ポケットを付けると、更に良かった。
【背景技術】
【０００４】特願、２００５−            、発光ペンダント。
特願、２００５−            、ハイカトリ。
特願、２００５−            、自行輪。
特願、２００５−            、スダレハッカー
特願、２００３−１４６９９４、必ず眠れる枕。
特願、２００６−            、カルラー。
特願、２００４−            、ナマハゲくん。
特願、２００６−            、毛生薬。
特願、２００７−            、幽霊撮カメラ。
特願、２００５−            、アスドンゴロス。
特願、２００７−            、地震発見器。
【発明の開示】
【発明が解決しょうとする課題】
【０００５】  筆者がまだ小学生であった頃、先生が、人間にとって、生きてゆくのに一番大切な物は、最初に衣服であり、二番目に食べる事であり、三番目に家が必要である。」と教えてくれた事があった。
【０００６】  コドモであった筆者は、三位一体にあり、この哲学の論理に対して、家を持たず、公園のベンチに寝泊りしている浮浪者を見て、人は、家が無くても生きていけると思ったが、何故、衣服が、食に先行して大事なのか？後々に至るまで真剣に考え続けた事があった。大人になっても考えていた。課題が生じた。
【課題を解決するための手段】
【０００７】  原始に生きる裸族的人間は、その衣服を必要としてはいなかったからであったが、この者達は、文明（文字）こそ持たないものの、住み家とする家を持ち、火を焚き、絵を描き、優れた工芸品を日々創り出しているのを見た時、解賠学的見地から、本課題の解決手段を求め、既に、この完成している筈のギリシア哲学の解決をも追求していた。
【０００８】  現在、人類は、人体から体毛を失い、頭毛（陰毛は別課題）を除き、裸体となり、裸の猿として、地球上に君臨する覇王となっていた。その原因を求める諸説紛々なる学説が生じる時、筆者は、解賠学的見地から、既存しない学説を打ち建て、これ等を基いとして、多くの発明、考案物を考え出すに至っていた。
【０００９】  筆者達、研究グループは、人類に近いオラウータン、チンパンジー等、猿の頭部を除く全身体毛を取り除き続け、これに、人間の子の様に衣服を纒わせ続ける、同状態実験を、３０余年に渡って繰り返えし続けた所、いずれの猿においても、脳機能障害（人で言う、日射症と同じ病象）を起こし、早死にを強いる結果を導き続け、これらの者には、後、性器の高進を見受け、その子孫に裸体時、隠部を歴然と庇う者も出た。（旧約聖書、創世記第３章２２節。「人は、我々の様に善悪を知る者となった。」）
【００１０】  この実験の目的は、人類が、長い年月をかけ、生存競争に打ち勝つべく、その最も危険とする、全身体毛を捐なわせる、裸体系デザインを遺伝子機能に選択した因果関係を解賠学的見地に求め、応報関係を並外れて進化させ続け、巨大化し続ける人の脳構造に関係するべき事において、そこに甚大に発生させなければならなかったインパルス電子の供給源を、人類は、自力発電する事の出来る人膚細胞に数多くあるロドプシン細胞に求め続けられる時、人は、その全身から体毛を捐なわせ続けるものとなっていた。ソーラシステムにある発電力は、パルス（大陽光）にあったからであった。
（特願、２００３−１４６９９４、必ず眠れる枕。特願２００５−        灰蚊取参照）
【００１１】  分り易く言うと、人体をする解賠学的、脳筋電子流連立体係は、人の脳に仮りに（４０）ｎ億個
2005325498.tif 000002
一本、一本の神経連立体系の元に、電子間のやりとりする関係がある時、神経となり、
【００１２】
2005325498.tif 000003
し、人の新進脳、（大脳皮質）に送り返し、人は、昼の８時間仕事をしますが、やがて夜るが来て、眠りに付くと、その記憶の原型を保持する、人動物の脳の奥深く、中心位置に在り
2005325498.tif 000004
余計な情報が入らぬ様に、大脳（新脳）をβエンドロフィン、若しくは、メラトリンをする覚醒物質で、しっかりと、麻痺させておかなければならぬ現象が起こる時、これを一般用語で「眠り」と呼ぶ。（海馬に余計な、新脳情報が入ると脳間絶交（精神分裂）症を引き起こす原因となったからであった。（シナプス電子はα波で読み取れる。）
【００１３】  この様に、就寝中、海馬（ハードウェアー）を通して、大概の記憶体系（同系記憶）が整理されると、レム周期率に合わせて、大脳覚酔βエンドロフィン物質を残し、メラト
2005325498.tif 000005
時、その大系緒情報を必要とする中枢大脳各所（側頭葉に指摘されている。）に、配布され
2005325498.tif 000006
β波として読み取れる所となり。βエンドロフィンは、海馬と中枢神経大脳に働らく活却性ロドプシン発電量の抑止、ニュートラル調整剤となる。）――この時、人、動物は夢をみますが、夢は、臨床心理学体系を編成し、脳機能状値を計る事にも役立った。
【００１４】  しかしながら、そこで問題となるのは、これ程までに拡大、増進した人類の脳細胞と、筋細胞を緻密に、且つ綿密に伝通する（８０）ｎ億個もの細胞が、意志疎通（考証、大脳皮質像）を計るに必要な電子容量をして、インパルス電子をＸとし、シナプス電子をＹとし、その容量をＺとし、公式Ｘ＋Ｙ＝Ｚ′で表わした時、Ｅ２＝ｎは、人体全容の神径に用いられる必要電子量になるものとなった。
【００１５】  それ故、人類は、このＺをして、変換される光電子流容量を蓄発電をできるべく、自立発電用力を人体全身から、最も有利とする体毛を取り去って、これに為すべく、その裸体膚
2005325498.tif 000007
電子をインパルス電子線Ｘに変換して、神経系統に利用する事を覚えた。すると、
【００１６】  自ずと、人類は、全身から、多くの動物が選ばなかった。体毛の全てを取り除き、失わせる進化の過程を辿る事になったものである。と、筆者は、「人類脱毛裸体進化説」を独持に打ち立てるものであったが、特に、脳、前頭葉に近い顔面部を、それらを発達させ続けた人の手指、手甲、足をする、脳筋連立位部位には、体毛があってはいけなかった。
（特願２００４−３１４７９６、盗聴コンウィルス防止器参照）
【００１７】  同様の事において、今から遡る事、数十億年以前をする、特に、ジュラ紀、白亜紀におけるまでの間、地球上の覇王となり、君臨した恐竜達、爬虫類も、生存権の拡大を計るには、短期間に、頭脳中細胞ではなく、全身無限大を計るべく、選択を最良として、その躰には、体毛を持たない体型デザインを選択したものである。と、筆者は推意するものであった。
【００１８】  余談であったが、筆者は、海外回遊研究中に、「エーリアン・人間以外の人間」と呼ばれる生物を見た事があった。人体に以る素形を持ち、小人程の身長にあって、頭脳形態は、昆虫にある機能を兼ねて持つものだが、ロドプシン細胞の甚大にあって、六本指を持ち、哺乳類生物ではなく、爬虫類（変温動物）の特徴を持っていた。後提出論文準備の為、之に記すものであった。
【００１９】  この事から、極だって、無毛動物と、有毛動物の生体習性の違いにおいて見識される所、無毛動物類は、寒くなる、夜間、冬期に備え、親子、親戚関係は互いの匂いによって認識し合い、有事に備え、躰を温め合うべく必要性から、集団行動をし易い事に反して、有毛動物類では、その乳離れと共に、外敵に狙われづらくすべき為、親子、親戚間断交の多くをも見受けられる所となっていた。それ故、
【００２０】  人類におけるコドモ達においても、短期間において、決まった年代におき、人生を生き抜く為に、集団社会的ルール、知識、知恵を、その脳容積が拡大する期間内に収得しなければ、ならず、それらを、その時期に収得できかねる者は、不利益を被る他、人間、間における協調生活すら出来ぬ事となり、悪く言えば、死を表わす程、人間社会は、他の動物類に見られぬ、大集団編成、系統社会を形成する所までのものになっていた。
【００２１】  では、何故、人類は体毛を全身から失って、光粒電子線を全身に浴び、膚細胞バッテリーから、多くの光電粒子線を人体、脳筋体に供給する事が出来る有利な条件が、整いながらも、その裸体を隠すべく、衣服を纒うのか？という、次なる疑問が生じる時、その理由は、人間が、一日に稼動し、脳筋体に供給できる、光電子量は、一日二時間程の充電率で充分だったからであり、主に、風呂に入って、全身裸体を剥き出しにしている間に、電灯にあって、生じる、光電子線でも充分に、膚細胞中にあるロドプシン細胞は、人体、脳筋連立組織体に必要なる電流子線に変換し、蓄発電し、之に供給していたからであった。
【００２２】  話しを分り易くする為、例えを使うと、現代２千年の世に入ってから、携帯電話という物が急速に普及し始めており、これに附随するバッテリー他、車両バッテリー等を例えに揚げて、充電量が少ない時、バッテリーチャージャーにかけた時、どんなに蓄電量が減っていたとしても、健康体のバッテリーならば、二時間も充電器にかけていれば、すぐに充電してしまう事に以ており、人体にあるロドプシン細胞の蓄発電現象も、これと全ったく同じであり、必要以上に過充電し続けると、バッテリーは、体調不良を起こし、塩を吹き出し、やがて死んでしまいます。裸体面積が持つ実力であった。
【課題を解決する為の手段】
【００２３】  動物実験においては、人間より遥かに脳容積の少ないチンパンジー、オラウータン等、類人猿を筆頭に、犬、猫他をして、その全身から体毛を取り除くを為する前に、これらの動物が持つ言語術を試し、知能力の度合を計り、その後、彼等が一日に摂取する、平均睡眠時間の比率を人間に対し、いかに長き事のパーセンテージを知る時、人（類）が、平均１４時間以上の光電子量を必要とし、昼間、稼動する事が可能な限りにある中、知能低度（言語力）の低い者は、比例して、その睡眠時間が長くなり、冬眠時間を含める、大陽光パルス線の受注率をその身に対し、拒絶する傾向も伺えるものであったが、――彼等の持つ睡眠とは、パルス電子率の、脳筋体拒絶率にも匹敵するものであり、動物体において、太陽光の持つ、電力線に生命存亡」にかかる程、重大な物であった事が伺えた。
【００２４】  それ故、一時流行したプードル犬から、猟目的以外の為、その体毛の半分以上取り除いて、その部位に、太陽光線拒絶布（衣服）を着装せず、長期間、放置した場合や、羊の体毛を削り取って、太陽光線遮蔽物（小屋）内に、之を入れて保護しなかった場合には、彼等は脳機能障害を併発する短命の元に絶命するに至っていた。脳機能障害とは、人間で言う、（自律神経失調症）脳筋連立体障害の事であり、日射症と同じ現象であった。
【００２５】  しかしながら、水性動物において、その躰からすっかり体毛を失っている、イルカ、シャチ、クジラ等においては、その全身裸体にあり余る大陽直射日光、パルスを照射され続ける不具合があっても、水面では、第一オゾン層が、之に発生し、動物体に
2005325498.tif 000008
に吐き出し続け、付近を泳ぐ魚群を次第に痺れさせ、弱まって、動きが鈍くなった頃、捕食する事に使用し、又、躰に付着する寄生虫の駆除に用いる、群れを成し、仲間同志で助け合って生きているものであった。
【００２６】  南米アマゾン秘境地帯に棲息する、電気鰻、鯰をする魚類も、同じ説明の元に、体内
2005325498.tif 000009
に４５００〜６５００Ｖに近い蓄積電流を蓄積電流を発っするが、自分は感電しなかった。大陽光線、パルスの持てる保有力量であった。
【００２７】
2005325498.tif 000010
場にある磁力静電子を吸収しながら進む時、この様に、体内表皮に大量の電子量を蓄発電する動物等では、これを体外に具合良く排出できない時には、脳機能障害（動物体内に、必要以上の光電粒子線率・磁力線を貯めると自律神径失調症）を起こし、鰻、鯰類他、これ等動物では、これが躰に貯まらない様、激しく動き廻わり（逃避行為）ます。（２００５−          、アスドンゴロス。２００７−          地震発見器参照。）
それ故、人類、人間にとって、一日二時間を経過する、全身日光浴は、本件解賠学的見地から言って、ふさわしくないものであり、これを強行する時、日射、脳機能障害症を併発する不具合が生じたからであった。（但し、そこに、水が有る時、本件は適用されなかった。）・２００６−          カルラー参照されたし。）
【００２８】  これらの事から、筆者が解賠学見地を主体として、考察する、ギリシア哲人等が唱じた、人、人類にとって、衣食住における見地順位は正しかった、と解されるに至ったが、例外として、パプア、ニューギニア等奥地に、今尚、原始裸族として、生存する原始民については、我々、文明社会人が、不要の物とし、常に、全身から取り除き続ける垢の着き方が違うものであろう？としか、今の所、考えてみようが無かった。まだまだ、未解決とする、筆者の研究課題となり、迷であった。
（特願２００４−          ナマハゲくん参照されたし）
【００２９】  しかしながら、本件課題を現状に戻す時、皺、白髪の発生しだして来ている、中高年、老人等を裸にして、その裸体を公衆浴場で見ると、日々衣服を身に付けている所は、老化も少なく、青少年の裸体細胞にみられる、その美しさは、さ程に変わらぬものであったが、日々、衣服を身に付ける事の少ない、顔、襟首、腕、手足の甲となると、そういう訳には、いかなかった。（垢の出方も多い。）
【００３０】  顔の皺を見て、人の年令が分からなければ、手の甲、若しくは襟首にある皺を見れば人の年令が分かる、と言われる程までに、年令を重ねた人間の膚細胞は緩み、皺となって、歴然と表面化したものであり、１日２時間以上に渡って、不必要なる大陽光線、パルスを浴び続けた場合における（ロドプシン）細胞が乾枯し、死んで、その蘇生が、及びつかなくなった、成れの果ての素形であったが、髪の毛も、これを多く含む細胞の変形物の一つであった。
【００３１】  人は、いくつになっても、青少年の様に若々しく、水々しい膚細胞を持ちたいものであったが、知らず、知らずうちに皺、白髪が増え、気が付くと、いつの間にかに、みにくい老人の素形に、その身が変貌している事に気が付く時、これが俗に言う、「老化現象」であり、どうにもならないものである。と半ば、あきらめ半分にあるものであったが、どうしても、この現象に逆って執着する人々の中には、科学者もいて、本、新代科学に唱じられる、老化の初まりは、必要以上に、光電磁流子量を体内に貯えて、吐き出しが良好に出来ない状態に有る中に、大因的要素の一因がある根拠を知らずして、
【００３２】  ＵＶをのみ因果原因とする、ＵＶカット装備品、薬済、はたまたは、コラーゲン入り栄養ドリンク、美容乳液‥‥等を試すに予念がなく、研究され続けて、労を費やすが、課題をして、これらの物資は、大概、的を得てはいないので、大効的効果は、なかなか、得られるものではなかった。その理由は、
【００３３】  先述される、現代、日本を含める、先進大国における、食糧事情意識調査では、美顔、美容を志す人口の内にあっても、戦時中とは違い、食したい物、欲っする物は、意のままに入手できる中、他の物を得らばず、これらの物をのみ中心とする、偏食して止まぬ中、他、体細胞の少ない細菌、微生物に波長の短い紫外線を照射し続けると、これらには殺傷効果がある旨による動物実験から、人間細胞も、そうに違いない。とする、ドグマ的、考えから、若返りを志す、投資家達の投資意欲の無駄使いに拍車をかける時、
【００３４】  プリズム、赤外線から紫外線、パルスに至るまでの、光粒子線にある、磁束線の一切は、人体には無害のものであり、１日２時間以上のパルス電子を、全身に欲びなければ良い事とし、本学説は解説しているものであり、（詳細は、２００６年        号、毛生薬参照）
人体に、発生する垢や、抜け毛、白髪も、光粒子からの防御システムの一環とし、ロドプシン細胞を死失した物を不要とし、身体から除去する植物の枯れ葉が抜け落ちる現象に以ていた。
【００３５】  分かり易く言えば、光電粒子は、地上にある生物が体内に保有する水分子に衝突する際に、摂氏４３００００００℃にある、大陽光パルス光電流子が、之を酸素と水素に分離する、激しい爆力を伴い、分子分解する時、水に含まれた栄養素（特に、炭水化物、窒素等）原子間、融合する、変換しすぐに、この温度中にある、電子スパークにより、酸素と水素は、電爆により化合（Ｈ２Ｏ）し、再度、栄養水分として、体細胞に取り込（光合性）まれるメカニズム代謝率を実力行使する所に、生命の起源が発生するものとなった。
【００３６】  それ故、光粒子は、宇宙空間を進行する際には何んら影響を持つものではなかったが、水素（Ｈ）原素を得て、これに衝突する時、原子爆裂融合（真空密度必要）する、ヘリウム（Ｈｅ）に変換する膨大にして、更なる、光粒子を造り出（光の起源）し、これらが、地球に届く時、万有爆力第一法則「あらゆる熱量は、同等量の光粒子に変換する。」とし、（旧約聖書、第１章３節、神は、「光、あれ。」と言われると、そこに光があった。）
（特願、２００５−        発光ペンダント参照されたし）
【００３６】  この様に、これをする、地球星が、宇宙から受住する、光粒子と同等（同量）の温度を体温として、保存していなかった際には、Ｅ２＝ｎ⇒Ｘ＋Ｙ＝Ｚの公式は成立せず、生命の星には成り得ず、この星に存在する全ての生物は、インベーダー（侵略者）を除く、同状能、条件の元にある生命活動を行わぬものとなっていた。
旧約聖書、第１章２７節、神は、土を採られ、息を吹き込むと、人は生きる者となった。
【００３７】  それ故、これだけ、宇宙にある大量の電気力線を受注し、蓄発電できる様になった地球星に言わず、そこに生存する、人、生物にしても、同様に膚細胞を蓄発電できる様に、次第に高度に進化させ続けるものとなり、人、動物をして、地球星が仮りに、そこで死亡した、としても、その存在場所に、強力、且つ、多量の電磁束力線は残る事となった。
（特願、２００７−        幽霊撮カメラ参照されたし）
【００３８】  しかしながら、分りずらい、本件、新代科学を、解賠学を用いて、更に、現代医科学に老察した時、人動物が仮りに、事故で、その手足を切断し、失った場合でも、人動物（大義に言えば、植物も同じ。）の脳筋連立、電子ワープ化現象により、これは、欠捐する、元に在った肉体神径部位路を正確に存続し、その径路に伝わって、（幽霊現象）働き続けるものとなった。（２００５−                  灰蚊取参照されたし。）
【００３９】  実例では、事故で、右腕を失った人が、病院で、意識を取り戻した際に、腕の無い事に気が付き、病室内を探し廻っていて、医師から説明を受けたが、そこに箸が操作できる程にまで、鮮明な記憶が、右腕の細部に至るまで残って、右人さし指が痒いのに、之を掻く事の出来ない不思議さを医師に訴えているのに以ており、
【００４０】  これを逆説から掴えると、やはり、事故にあって、人体が五体満足でありながらも、頭骨内に在る、脳神径細胞が死滅（脳死）した場合にあっても脳筋連立神径回路が完成していた場合、この必要な、電子回路は、その患者の、そこに存在していた筈の、脳神径細胞を必ずしも必要とはせず、生命維持（装置）が続く限り、生命に必要なるあらゆる諸情報を全身に伝え続け、生命、生環への復起路を必死で探し続けるものとなります。
【００４１】  然るに、医師、若しくは、患者の親族が、無知の元、「身内、親族の許可を得、之を既に遺体として扱い、多額現金変換できる事とし、代償として、他人の生命が助かります。」旨の説明を、患者のベッド傍で話しをし、当人の生存希望を無視し、「これを切り刻み、解体し、移殖手術材料にして使う。」などと、言う言葉を発っして、之を言えば、この患者の耳、鼓膜が作動し、（人の遺体は、豚と同じく、利用価値があり、捨てる所が無かった。）
【００４２】  現代医科学が、「既に生存見込みは無い。」と、決めつけて、この患者自身にある、一対づつをして、連立する、脳筋体では、生き残った脳は、一例を揚げて説明する所、「二異光景同視現象等」を発令する、使い物にならなくなった脳に替わって、代用できそうな限りの脳細脳の活用を選別し、このスイッチの切り替えを生死をかけて、実行し続けている際、遺体とみまがわれた、これは、涙さへ流して、生命維持表示を示し、外部者に、これを伝え様と、努力し続けます。患者自身は、夢中症条件状態に以ています。――それは、
【００４３】  右腕を捐失した者が、不便ながらも、左り腕を代用して練習するのに以ており、両腕を失った者は、右足指を代用して、藁をも掴み、不自由なる長い時間を克服してまで、生存の活路を開こうと努力し続けているものであった。――それ故、「脳死した患者を外見視の元、「脳死」を「人間一個人の死」と決め付けて、現代の医学会は、これを定説としている考え方は、絶対に容認してはいけないものであったが、悲しいかな、この患者を、現在では、看病できる考え方と、施設が、我が国、日本には無かく、本人意志のみ必要。
【００４３】  立証論理では、ある外国の途有る街で、事故により、植物人間化した子の蘇生を願う母親が、手厚い看護の元に、数十年の年月をかけ、患者を看病し続けた所、その子は、ある朝、目が冷めて、起きるが如く、起き出し、いつもの日常生活をしだした。という報告例がいくつもある様に、この患者の脳をＣＴ、スキャナーを用いて覗いてみると、植物人間化した事故当時のままに、その部分の脳細脳は、死滅し、欠捐したままであっても、不思議と、本件、新代医科学見地の掴える所、人体、五体と脳の連絡を取り合う、密接関係にある、筋機能、体細胞のいたる所から、人体頭部に表われる筈の脳波が表われるものとなっていた。
【００４４】  この論証を考証論理で表わす際には、古生代生物（ジュラ紀）における恐竜、ステゴザウルスや、現代、生存のトカゲ類に見られる、之等を例えに揚げる、解賠学的見地に考察する、彼等は、他者、強力肉食恐竜達から、身を守るべく、刺のついた尻尾を激しく振り回わさなければならない、必要に迫られた時、欠捐するに等しい少容量積、脳を捕うべく、尻尾の付け根に、脳筋連立神径の増大を計るべく、やがて、それは、脳波を発っするまでにも、神経根を脳に変貌させた実例にもあって、筋機能神径は、脳神径に変換し、その生命、生物体を甦生するものでもあった。
【００４５】  例えがよくありませんが、私達が車両を運転している、路上に動物の死体があり、之を轢いた時の感触は、タイヤを径て、順に、ハンドルまで、伝わって来て分るものであり、アイスバーン路上にあって、コドモが車両近くを歩いているのを見た時、人体内を走る、この脳筋連立、（神径）インパルス電子をフルに出力し、運転車両全身至る所にまで電信させ、自身の神径を車両に同化させ、障害物（コドモ）が車体にぶつからない様に、危険の回避を計り続ける事、日々、この様に運転している者に、間違って不慮の事故から、電柱に、愛車を接触した場合、これらは、既に躰の一部となっている為に、自分の躰に傷が付いた様に、心に痛みが走り、自分の躰の様に奇麗に保修しようと心がける所となった。（ＵＦＯなる飛行体の操従部は、この様になっていた。）
【００４６】  筆者は、バイオリン奏者であった。素形、型は同じに見えるバイオリンでも、シュトラデ、バリウスでは、製作する時、脳筋神経が発っする強い、念力にも以た、その手先、ノミ、ナイフ等の工具を伝わって、彼の持つ神経、電子がバイオリンの木目から、細部に至るまでにも染み込み、レコード溝を刻み続けるが如くに、これを焼射し続けながら、バイオリン本体に、製作者の脳の中にあるシワと同じ構造を意とする記憶が、これに刻み続ける時、製作者の意志とする音色がこれに出る様になった、と筆者は推意す。筆者も會ては芸術家だった。三種神器は、科学未熟期、人が持てなかった。（特願、２００５−          灰蚊取参照されたし。）
【００４７】  即ち、人の脳とは、新生児から成人に至って、その脳内に、強いインパルス、シナプス電子線を発生させる事が出来るメカニズムを作り、心臓が、ポンプの役割を以って、全身に、その血液を巡環させる時、人間動物の
2005325498.tif 000011
ッテリーとなる、蓄発電細胞、ロドプシンを発達させ、その電子エネルギーを、脳、筋機能体で受注し、全身にある神経細胞と連絡を取り合うべく為、あまりにも多くの大陽光エネルギーを、その身に貯える事が出来る様になった時、人は四足歩行を止め、二本足で、大地に立ちあがるものとなった。――人類２本足進化説（特願、２００５−          自行輪。特願、２００６−          シルバーバック参照されたし。）
【００４８】  それ故、人は、大地に二本足で立ち上がった時、空いた二本の手と、手先を使い、多くの道具を使用し、現代では大型乗物に至るまでにも、これを道具として用いる際に、車両の車軸、タイヤに至って、人の体膚細胞で発生させた、光電流子線を神経として、用いた場合、アイスバーン、崖っぷち、悪路に至り、又、極単な恐怖現場に遭遇した場合においても、毛髪、膚細胞に在る、ロドプシン細胞は一気に使い果された時、膚細胞は、ガサガサになり、頭髪は白髪化するものとなった。――膚細胞があまりにも多くの光電流子線を発注し、膚細胞と頭髪細胞を用（電気ショート）いて、これを使用した結果であった。
【００４９】  これらの事から、裸のサルとして進化した人類、人間では、１日２時間以上、必要以上に体内に入ってくるパルス電子量を制限しなければならない必要に迫まられた際、人は、人体裸体を覆い隠すのに丁度良い衣服を考案し、身に纒い続けるものになるものであった。
（旧約聖書、創世記３章９節――「私は、裸だったので、恐れて身を隠しました。」――神は光の中にあった。）
【００５０】  その様に、人の脳は、手を使い、より多くの優れた道具を発明し、これ等を創造する時、人は「神の子」と呼ばれる様になり、（創造は、神にしか出来ない業であった。）これら、製作される道具にも、手先から大量のパルス電子（神経）流を製品に注ぎ込む必要のある時、膚細胞に散在する、ロドプシン、蓄発電される、インパルス電子線量を増大させるべく、体毛を更に消失させ、記憶させなければならない諸情報を増やした時、人は言語を話す様になり、大脳神径細胞を増やし続けるものとなった。それ故、
【発明の効果】
【００５１】  人は、いくつになっても、青少年の素膚が如く、フサフサした水々しい髪の毛と、捐の様な膚細胞を保存したいと望むのならば、１日２時間前後の日光浴を効率良く、人膚に摂取し、その他の時間帯は全ったく、日光を寄せ付けない本発明される様な、スーツ素形を保持すれば、薄くなった髪の毛や、シワクチャになった膚細胞は、自ずと、蘇生するままに、甦生されるものとなった。（但し、急稼動時は、２時間以上必要）
【００５２】  動物実験では、羊、犬、猫、マウスを実験に取り、これらのものから、全身体毛を取り除き、これらのもの達のいずれの除毛後の素膚を見ても捐の様に美しい所であったが、そのまま、直射日光に当てつづけたり、この者達に対して、施術を施こした後、保護保全処置を故意に怠り続けると、前記される、日射症にかかり、やがて、素膚がガサガサになって行く時、死亡する者も続出したが、すぐに保護衣をこれに着せ、日射症にかかる応急処置をし、生命保全を計り、再び、育毛後、除毛施術後の、その地膚を見た時、やはり、以前の様に、白く美しい素膚がそこに甦っているものであった。
【００５３】  この様に、数多くの実態実験を行ない、主に羊の脳を解賠し続けて気が付き始めるのは、人の脳にも同じ事が言える所、人の脳細胞は、２７才位まで、その頭骨の中で増量して、保全されるものの、この年令を境いに、過ぎて、減量し続けるのは、人膚細胞にあるロドプシン細胞の老化、死滅に比例して、脳内にあるロドプシン細胞の減量が特に目立つ所、大酒飲み、他、日当り、外仕事をする肉体労務者に多く、内仕事をして、必要以外、日光に当らない者から比べて、多いに、その脳容量を減らしている老後の素形さへ之に見る所であり、現代科学の履き違える、そこに、捐われているのは、脳神経細胞群では無かった。
然るに、全身から体毛を捐わせ、その人膚細胞が、水、塩、ミネラル、光粒子を用いて、多量のインパルス電子を作り、蓄発電し、人体における、脳筋連立体に、供給している時、この全身皮膚細胞から８０％以上を火傷、若しくは、古くの例えにある、仮装の為、全身に、コールタールを塗り、之を捐失させた場合、その者は、２４時間前後で脳機能障害を起こし、絶命した事を考証根拠に掴えてみても、人は２４時間以上、水中に漬け置いても、体温さへ捐わなければ、死亡するものではない事を考証論理に付け加えられた。
〔発明を実施する最良の形能〕
【００５４】  それ故、人体裸体においては、万有爆力の法則の元４０℃／ｃａｌ前後にある恒設温度（恒温）をし、大気温度の気まぐれさに、衣服を付けなかった場合に、体温の３６．５℃を
2005325498.tif 000012
を起こして、死亡する事となる他、ロドプシン細胞には酷使されるままに、ガサガサとなり、老化するままに、激減と数を減らし、若き日の美しかった細胞は既に捐われて、見た目の悪いジイさん、バアさんの素形に変貌してゆき、体力をも劣えさせるものとなった。
【００５５】  しかしながら、人、類人猿の類いは、顔筋と細い仕事をするべく為、これに繋がるべく、特に手足の脳筋連立体神経を最も発達させ、頭脳に通じさせているので、ロドプシン細胞が致密に密集する、これらの部位には、どうしても大量の太陽光パルスを受注しなけれならずに、もし、これらを覆い隠す事があれば、人、類人猿の手先、顔の神経経路は鈍くなる程までにも、これらの者の顔面、手の甲、足の甲は、大陽光パルス電粒子線を必要としているものであった。
【００５６】  光粒子の性質には、一定の条件に基づく定理があり、その定理とは、「光粒子とは、同条件の元に一定の所に集まる性質がある時、之を光磁力線（磁力線）と称し、単位１ｄｙ
2005325498.tif 000013
す仕事量（速度）を持つ時、１ｌｍの光束角を持ち、１ｍ単位の飛距離を進むものであった。」――分かり易く言うなれば、「光りでは、お湯が沸しずらい。」と言う例あった。
（万有爆力の第一法則・２００５−        発光ペンダント参照されたし。）
【００５７】  この様に、これ程までにも、膨大な出力エネルギーを持つ、大陽光パルスでは、地上に在る、あらゆる生物（本件では、人の裸体）に照射し続ける際に、生物は、生命維持活動をする為に、体内に一定の栄養分を含む水分を保存しだし、これを少しづつ、染み出させて汗とし、排出したが、
【００５８】  この事は、この様に栄養分を含む水分（血液）中まで、深く染み込む太陽光電磁性体では、これをＨ・Ｏ２に激しい爆裂を以って、電気分解する、そこに多大な発熱を生じさせ、その発熱温で、再度、酸素と水素を化合させる時、栄養分を持つ水は、その時、強制的に化合（新陳代謝）させられ、光合成を成すままに、血液、若しくは、養分水として、生物体、体内に取り込まれてゆくものとなった。（水分子爆裂、光合成、栄養吸収説。）
【００５９】  それ故、フケ、（抜け毛）の、その殆ど全ては、本学説から見た時、ロドプシン細胞を乾喝（使い果）した細胞群の成れの果て、と考えても過言では無かった。
【００６０】  これらの理由から、どの様にすれば、人体露出部を不必要な光粒子照射率から、これらを隠し続ける事が出来るか！と言う事になる時、人は、夜る眠る１０間前後を除く１４時間前後、何かしら稼動しているのを、まじめな日本国内の人々に、筆者は見ていた。
【００６１】  日本は、工業国になる以前は、農業生産国であり、狭い国土に多くの人口を抱えており、之を養う分だけ、主食となる米を生産しなければならず、国、大多数の農民は、日がな、一日中、大陽と向き合い、野良仕事をし、商人、工人、士族も例外ではなく、長い歴史の中、この時期、人々は、人体露出部の顔や手足の甲を、太陽、風寒から隠さず、露出し続けて働くと、垢まみれ、ヒビ割れ、皺が生じ、手先の器用さへ、捐われがちになる事を本能的に知り、外出時には、時代劇に見られる手甲（テッコウ）を手の甲に着け、足には脚半甲（キャッパンコ）若しくは、足袋（タビ）を着け、麦ワラ傘で顔の日除けをするものであったが、
【００６２】  近代において、服装（洋服）技術が、発達し続け、ワラジは、靴となり、足袋は、靴下。手甲（軍手）は、手袋。（ワラ）傘は（麦ワラ）帽子となり、形は次第に変貌するものの、本件論文内容に見られる、パルス科学の本随は理解されてはいなかった。ただ、人々は本能的に之等の物品を身に着けているのが良いと思っていた。時に、之を科学的に理論整然とし、
【００６３】  筆者が唱じる、「新代科学」、「衣装学編」による、その衣装を使う「価値」、使用目的に
2005325498.tif 000014
」五原則を主軸とした、未来型、衣服の一環として、これらの物品が発明される時、従来の製品技術力には無かった。軍手（簿手の綿製品が利想であるが、軍手その物でも良い。）手袋の五指、両手で十指の内、第一間節部位をして、第二間節部位、若しくは第三間節部位部分を、それぞれ、為され、人の仕事、作業に合わせ、切除し、本図１に見られる様に、主に、日除け、寒さ除けから、手の甲を保護する目的の他、釣作業する目的に釣針ポケットを之に付け、便利を考え、手の甲に更に小間物入れポケットが、之に付いている事が理想であった。
【００６４】  ――医師が、強い発光電灯の下で外科手術をする時、従来にあるオペ用手袋では全ゴム性、ある為、長時間使用時、汗をかき、内ムレし、手術がやりにくかった時、図８に見られる様に、手の甲にのみ、消毒された簿い綿布を取り付けた場合、内ムレしにくくなり、五指付け根に輪ゴムを付けると、手が動き易く、五指のみ引き締まり、手術が大変やり易くなった。
【００６５】  その故以は、人は、激しく、その頭脳、神径を使う時、脳筋連立体が同時に、激作動し、額、手足のロドプシン細胞を激しく燃焼させる為、（多量の飲酒時も同様）若年令者を問わず、実稼動限界力（二時間）を越える仕事量を休憩しないで、これを為し続け、放置した場合、老化現象に拍車をかけ、脳筋連立細胞は、弱体化する事になる際、（コドモがアルコールを飲むとバカになる。）の由以であった。この時、
【００６６】  本発明される、健康甦生保険手袋、若しくは、健康甦保険鉢巻等に水分を含ませ、これらの部位に働らく、ロドプシン発熱温度を昇華冷却作用により下げてやると、光粒子量は、同等の熱量に変換する。とする。万有爆力第一法則の元、光粒子の持つ力量は、減退する為、脳、膚
2005325498.tif 000015
【００６７】  それ故、人は、多くの人間の中にあって、常に稼動する動物であるが為、その仕事の稼動状態に合わせ、見た目が、不自然ではなく、不要な光粒子をその裸体部に浴びなくとも済む様にして、外出時には効率良くこれを冷却させる事が出来る様にするには、曾ての小型時計が、服ポケット内にあっても、左腕にバンドに付けた方が、便利であり、スムーズであると、人は、気が付いた時、これを腕時計と称し、腕に付けた様に、現代、ポケットに在る、帯電話を、本２図に示す様に、本発明健康甦生鉢巻の延長にある、取り外し自在「ハップリ」に常時、取り付けられる事に施工技術を施した場合、腕時計が、その手首に付いていても気にならない様に、これが、人の顔の鬢に、必要付属品として、取り付けらていても、いつしか気にならなくなる技術力さへあり、耳電話と称される物と推意した。
【００６８】  しかしながら、本発明品、「ハップリ」に、やはり、本発明、「耳電話」を常時、これに取り付けて置くには、現在既存する、携帯電話の型では、用を足せない時、図２の１６番と１７番に示される様に、既存する携帯電話の背部にも受信、通話ボタンと、通話打ち切りボタンの二種類作動ボタンが必ずしも必要となり、電話が耳部から落下しない様に、同図、１５番に見られる、スライド凹溝線をハップリ側に付け、１４番に見られる凸スライド線を携帯電話側に施工した時、新型の耳電話の理想の形となり、
【００６９】  これをヘルメットの内側に施工した場合には、図３８に見られる、夏期、暑中、本発明品の意議を持ち、これ（ハップリメット）と称し、被った場合、避暑し、ヘルメットの役割を果しながらも、顔面部を日光照射から保護する事の出来るものとなり、透明のシールド、グラスにスモークを貼り視界を悪くする事もなく、スライド式に、ハップリメットの正面上部位や、口元を開ける事が出来る為、イチイチ、これを取り外して、会話しなくとも済み、コンビニにも、これを被ったまま入店出来る便利さが理想の形になるものであった。
【００７０】  又、本発明品、健康甦生保険手袋の手の甲の部分に簿手の綿生地を用い、掌部位に更にに通気性の良い、メッシュ生地を使い、これを図５の２３と２９の様に貼り合わせ、製作した場合、学生、事務職等、筆記を職業とする人々が、之を用いた場合、日がな一日中、必要以外、両手、裸体部に、光粒子を照射させなくとも済み、掌は涼しく、夏期、冬ともに、手から滲み出る油汗で筆記紙面を汚さなくとも済む、形状が理想であり、
【００７１】  同様に、これを、電気軽装工事用手袋に用いた場合では、図５の２６に見られる様に、全セム皮、簿手手袋の手先、親指、人さし指、中指の三指は、どうしても、その工事中傷みがひどくなる由以から、この三指先を手袋から切除し、そこに、取り替え式の、長目に製作される指サックを被せる様にして、用い、ボタン留めされる事、この様に、この手袋を製作した場合、電気軽装工事経験者なら、誰しも分かる、セム皮、手袋を常に取ったり、外したりしなければならないウットウしさが無くなる事と共に、細かい、電気部品を常時、取り扱うので、粉失防止の為、透明のビニールポケットを、指先、及び、手の甲に取り付け、感電防止の為、手の甲に貼り合わせた、ムレ防止メッシュ生地と、その上に取り付けられた、ビニール透明、小物入れポケットを、スッポリと覆い隠せる、手の甲、セム皮布を必要時、ボタン付け出来る機能を持つ手袋が製作される事が理想であった。
【００７１】  医科学係においては、図４に見られる、本文同意議内容にあって、細神経の限り尽す業務する歯科医師では、白髪や、ガサガサ膚になり易く、この様な時にも、本発明、健康甦生保険鉢巻、健康保険手袋を使用すと、健康に良く、この職業にある者ではなければ分からない神経酷使労力の一つには、患者の口の内、虫歯を見ながら、必要な緒道具を取るの日線をイチイチ外らし、首をクルクル動かさなければならない多疲労に悩まされ、失礼を知りながらも、患者の胸元に、道具を置かなければならなくなった時、本発明される、左り健康甦生保険手袋の手の甲部分に、逆さまにしても、歯科道具の落下しない、内側尻狭しで、道具を固定し、出し入れスムーズなる、道具入れサックが、これに附加されている手袋が製作され、手袋の手首バンドには、軽量のプラスチック製の消毒（脱脂綿）、脱脂綿小物入れ容器を附属品として、之に付けた場合には、あまりにも便利が良く、この手袋を歯科医師達は、装着せずはいられなくなる程までにも便利が良く理想的な物となった。
又、一時期、流行した臍出しルック衣装においても、之に対する正しい見地と、正しい学説が無かった為であり、間違った見識から、これを用いた場合、裸の猿として進化し続けた人間にとって、臍のある部位を（夏期においても）日中、露出し続ける事は、腹痛を起こ程の原因になる程までにも、必ずしも、望ましく無い物であったが、それを使用する者にとっては、的齢期にあっては、より良い、有能な異性を引きつける事への、セックスアピールの必要性から、これらをするにおいて、
【００７２】  本、発明品論文が指摘する所、先述、動物実験上にある、（プードル）犬から、腹部の
2005325498.tif 000016
ける者は、カゼを引く、と感違いする所、新代科学では、２時間前後の使用においては健康に良いと定議する元、それ以上の時間帯でこれら衣装を用いた場合には、日射症を起こす事を支持され、本学説を主軸にして、考察される時、
【実施例】
【００７３】
2005325498.tif 000017
性、ロドプシン細胞の数量を若者の様にして、いつまでも減らさず、若々しさを保持したいと望むのならば、必要以上の（大腸）光、電磁線をその身に照射させなくても済む様な「見た目」、「使用価値」、「使用目的にある安全性」、「便利さ」、「使い勝手の良さ」の五原則を満たす、必要時に、これを身に装身し、不要時には、速やかに取り外せる未来型の本発明される衣装を、これらの人々が、理論整然を弁えて、その用途に応じて用いた時、いずれの国々においても、中世までに、それぞれの国々にあって、使用された、（日本国では、和服）衣装考案物は廃れて（但し、和服にあるユカタ、服帯等は、病入院服とし、進歩して）いる物である中、これら五原則を常に満し続け、今日に至るその原型をそのまま、そこに留め、今、尚も生き残り続けた最も使い易い服装と言えば、西洋人が贅を尽くし、考案し続けた洋服であったが、【００７４】
2005325498.tif 000018
着こなし続けた物であったが、その百余年に余る年数の間にあって、それ以上の考案と進歩が見られない所となった時、【００７５】  筆者は、本発明品に為する論文にある、新代科学的根拠を基として、全っく新しく、今までには無かった、「全割チャック」を考案される、一見、従来に見られて、洋服、シャツ原型に在って、これらの部位に「全割チャック」を取り付ける他、袖部、並びに、腹部にも、この全割チャックを施こし、この、チャック部を隠すべく、たくし上げ余地を上手に用いて、「テオリーくん、シャツ、スラックス」を製作した場にも、繊細工夫の元、【００７５】  一見、フォーマル、シャツにも見える程のＹシャツでありながらも、首部に備わった「全割チャック」を外すと、首、襟部、他、シャツの腹部にある布地さへ、スッポリと外れるこれらのシャツを人が、この様に用いる際には、必要時には激しい、仕事（特に頭脳労働）をしながらも、クールビズ効果があり、日光浴をする事への効果や、窮屈な詰め襟シャツから端的に開放される技術効果の歴然と表われる物となった。
〔産業上の利用の可能性〕【００７６】  筆者は、その若き日に多くの学術研究を行い、諸（外）国を回遊し、そこで多くのメモを取り、小論文を作成し続けた。筆者の身成は、いつも身すぼらしい物であったが、【００７７】  織田信長、木下藤吉郎の生涯を若き日に見、その乞食の様な、一風、変わった身成の中にあって動き易く、しのぎ易い衣装、装束を彼等は格好の物として誂えながらも、必要時には、正装する装束に、素早く着替えられる抜け目のなさにおいて、自らの身を以て研究し続けた衣装は、後に足軽衣装束（農民軍事服に之等を応用する、ほんの少しの実践的工夫が之に用いられた場合、冬期、火も焚けない様な軍事前線基地（砦）にある軍隊員の健康を良好に保ち続けさせる事が出来た物であり、軍隊に用いる事の出来た物は、一搬民衆の私生活に、多いに応用できるものとなり、
（特願、２００５−１１８９２９、陣羽織参照【００７８】  その様に、筆者は、その若き日に、多くの、先進国（主に欧米）をして、発展途上国を多く歴訪した時、そこで見た印象的、見地にあって、先進国に在れば、有る程に至るまでにも、食事、排便、着衣の脱着は、軍隊にみまがう程にまで、合理的且つ、スピーディーに取り行われ、済まされ、彼等は、その一日に当てがわれる、自らの職務を遂行するを見る中で、反対に、途上国であれば、ある程、それらを見るに、イラ付きを覚える程まで、ルーズなものであった。【００７８】  その中に、おいて、特に、彼等の用いる着衣を、本学説論文に当て嵌めて見た時、本論文内容に近づける着衣をより早く装着している国家では、先進大国に在って、一歩先を進んでいる事に、身受けられていた。【００７９】  筆者の見識、諸見が正しければ、本論文内容に準じて、考案される着装束は、人にとって、甚だ、健康によく、並いる先進大国の持ち得る従来に無かった、一歩前進する、デザイン力にもあって、他、先進大国が用いる、遅れたデザイン製作（衣）装束を日本企業が、新代科学的根拠を基に廃棄し、この様にして御製作される時、利用者の堪大な数を数える事を想定した時、産業上の利用性の極めて高い物と推意された。
【図面の簡単な説明】
【００８０】
【図１】  筆者は、１０代後半期に、本論文研究内容の正しきを得る為に、極寒の冬期、新潟県三島郡にある、石地海岸へ釣り道具を持って、これに出かけ、昼６時間に渡って、二枚重ねの軍手を右手のみに嵌め、左手は、素膚にして、寒風の中に晒し続ける、人体実験を之に取り、右手甲は、少年の、その物の様にして若々しい膚細胞を、その後に至るまで、保持し続るものであったが、――左手甲は、その日から、右手甲のものとは、違い、５０代の年層に見られる、これに皺がより、ガサガサ膚になっている、みにくさを覚える事、他人（特に親）には見せられないものになっていた時、図１に見られる、（簿い）軍手を改良し、そこに透明の釣り針入れポケットや、釣り糸を入れるポケットを誂え、両手十指部位を切除する本発明品、健康甦生保険手袋を独持に発明し、一日中、ほぼ２４時間をし、２．５年間手に嵌め続ける事、この様にし、いると、怪まれる事、なく、いつしか、右手甲膚は、元通りにきれいに治療し、いるものになっている事を示した図であった。手の甲ポケットに小物を多くを利用して、入れると、尚、人々には怪まれない物になっていた。
【００８１】
【図２】 
2005325498.tif 000019
2005325498.tif 000020
【００８２】
【図３】  筆者は、大特車、他、貨物車の運転手業をした事があったが、先述される、神経のみ多大に使う重労職業であった際、この職業をやった事のなかった人々には、決っして知られる事の無かった事に、この運転席における運転手人員では、ハウス栽培の農作物を思わせられる、日がな一日中、ギラ付く、日光浴を顔面、頭部、両手甲に浴びせられるのを余儀なくされるものである時、いつしか、顔面は、日焼けし続け、アッという間にジイさん面になる中で、曾て、筆者が、インド、パキスタン、中東地方を歴訪し、人種、人類学を生理、解賠学的見地から、この亜熱帯地方に住む人々が独自に発達させて用いる、それら衣装との因果関係を考察する際に、セム族、ハム族をして、ギリシア、インド系、中東語系人をして、するにしても、同一の様に、これら地方に住む人々は、その顔面、頬部に多大な髭を体毛に進化させ、之に貯え、日光から、顔面部を保護する、女性では、顔面部をベールで保護し続けているのを考察し、東アジアをして、四季の明療、且つ、大地熱の照り返しの少ない地方区の夏期における、日本国民族では、髭、垢を顔面部に多く貯える必要の少なき人種進化をさせ続けて来ている事を考察する時、この進化のしかたは、年々、暑くなる、国内の人々の顔面、膚細胞を、すぐにダメにしてしまう事、先進大国人の顔面にも衣装が必要である。と、考察する際に、顔面の目元、口鼻を歴然と分かり易くし、頬のみを隠す本発明される「頬マスク」や、「首当て」を示す図であった。
【００８２】
【図４】  外科手術用簿手、手袋を示す図であったが、両手十指、根元に輪ゴムを仕込む事で、指先に執刀者の余分な血液が回わらず、指先を引き締める効果があり、手の甲内側に保湿紙が在り、その間に、サイフォンの原理を得る、中空枝管を入れ、手袋内呼吸をさせる図。
【００８３】
【図５】  夏期暑中、本発明される「健康甦生保険手袋」の手の内側部位に、目の荒い通気性の良いメッシュ生地を貼り合わせた手袋と、電気軽装工事用手袋の指先を切除し、必要時には、裸の指先に、指サックを被せ、ボタン留めして用いられる様に工夫し、手の甲部位にも同意議の元、これを取り除き、通気性の良い、メッシュ生地で、之を捕強し、必要時にはその上部にセム皮布を貼り、ボタン付けする中にも、透明の細い電気工事部品の入れられるポケットがあるのが望ましいと思われる図であった。
【００８４】
【図６】  モーターバイクに乗り、それを業務とし、仕事をする者に、本論文同意議にある、人の顔面部に、不必要な日光照射が無く、これ（万有爆力一法則）によって生じる、日射熱をこれの内に貯めさせないで済む様にする、ヘルメット製造技術力が、従来にある技術力になかった時、図６に見られる様に、今発明される、「ハップリメット」では、この様に従来に在って、一つのヘルメットに、同一に取り付ける事の出来なかった、日除けの間に開けられた、風除けシールドを上下させる事の出来る技術力がこれにあり、モータ、バイク移動時には、スライド式に開けられた、通気孔が、前部にあって、後方孔に通気する技術力や、必要時には、目元、口元を第三者にハッキリ見せ、会話がスムーズに出来る、スライド式、顔面保護器がある事と共に、このヘルメットの内耳部には、前２図に示される耳電話設置される技術力にある為、健康甦生鉢巻及び、それ等、付品、その物さへ含めたままに、これに被り、業務移動中、かかって来た携帯電話を、耳部に在るがままに、外側から柔くなっている、耳部の、着信ボタンを押すだけで、そのまま会話出来る技術力が之に在る、多種機能を示した図であった。
【００８５】
【図７】  先進国にあって、多くの人々は、８時間勤務体制時間以内に縛られる、時間帯が多い中、筆者を含める多くの（頭脳）労働者は、休憩時においても、日がな一日中、正装していなければならず、多大にして、その（重脳）労力に集中しなければならない時、本論文学説（脳筋連立体、光電子必要説）から、人動物の脳は、どうしても足りなくなる多量の光粒電子量を、顔面露出部にあるロドプシン細脳に多く受注し続けなければならない時、その顔面、額の必要面積を学生を含め、広げ様と生理現象が生じ、前頭葉脳を酷使する者は、その額を広げつつも、連動する頭頂葉脳を酷使した場合、同様の理由から、そのハゲの範囲は、頭頂部に向かって拡大してゆく、一学説に唱じられる時、毛根の強い者は、頭毛をハゲさせる事が出来ないかわりに、白髪化させて、頭皮に光りの通りが良くなる様に努力し続ける所となり、（栄養素油脂酸化説、除外）
【００８６】  同じ理由の元、裸体形デザインを進化の道に選んだ人類では、全身に体毛を失わせ続ける事、その格好を善策としたが、文明人では、衣服を進化させるままに、稼動する時間帯に貯えられた、電子力（日光量）線が足りなくなる時には、急速に、それ等を必要とする場合には、人の裸体全身で受注しなければならない、それを、人の顔面、首筋、手の甲を
2005325498.tif 000021
が生じ、これらは、ガサガサになり続けるままに、老化現象につながっていく、この様な時、図７に示される、「割りシャツ」、「割りズボン」のチャックを外し、休憩時間を利用し、膚露出面積の多くを取って、日光浴（電気の光でも良い）をした場合、これらの乾喝し続ける、膚細胞を助けて、甦えらせる、技術力と、優れたデザイン力で設計された新科学の元に考案される、シャツとズボンの図であった。【００８７】
【図８】  朝起きて、カラッと晴れた晴天時には、気分も良く、仕事もやる気も起こるものであり、どんよりと曇った日には、気力も塞ぎ勝ちになるものであったが、仕事部室に入り、日光にも劣らぬ照度の強い、照明を看者さんに当て、細心の注意をはらい、手にはクリームもつけられず、この治療に専念する医師の両手の甲は、一日中、これに晒され続けるものであったが、この際に、医師の両手甲のロドプシン膚細胞は、極度に酷使され続ける手の甲が荒れ続け、極単に、この細胞の数を減らし続け、ガサガサ膚となり、そこに、仮に皺が多く寄った際には、先述される様に、脳の中の手を司る、ロドプシン細胞も多く死滅する事が、本論文内容の研究で指摘される時、歯科医師だけではなく、この様な、状態、条件下で仕事を多くする人々が、本発明される健康甦生保険手袋を用いて、仕事をした方が健康には良く、その手の甲には、小道具を入れて置ける「サック付品をタコ足ボタン他、腕バンドを用いて、付け外しが出来る様にしておくと、尚、この手袋を利用する価値が上がる事を示した示であった。
【００８８】
【図９】  夏期暑中、まず、余程の事が無い限りに、人々は、簿い色の半袖、半ズボン素形になっていたいものであったが、この様な時、どうしても、正装でいなければならない、現代文明社会の中に、これらの人々の、実に多い時、現在、オシメに使われている、保湿性が高く、通気性の良い、簿い素材品で、腕カバー、ズボン下を作って、これに用い、ステテコにも使用した際には、汗や臭いをこれが、一時、ストック吸収し、炎天下の下に少しづつ昇華させる所となり、大変健康に良い衣装になる物である事を示す、袖カバーとズボン下を示す図であった。
【符号の説明】
【００８９】１．ポケット付健康保険手袋。  ２．手の甲付多目的ポケット。  ３．指先釣針入れポケット。  ４．掌滑り止め凸凹。  ４．霧吹。  ５．定期券。  ６．含水布。  ７．メモ帳。  ８．健康甦生保険鉢巻。  ９．取外し自在面テープ。  １０．含水布入器。１１．チャック。  １２．取り外し自在庇。  １３．耳電話受け器（ハップリ）。  １４．耳電話スライド凸部。  １５．耳電話スライド凹部。  １６．耳電話。  １７．耳電話背付受信ボタン。  １８．受信聞取口。  １９．顎紐。  ２０．釣針。  ２１．頬マスク。  ２２．飾フリル  ２３．掌メッシュ布付健康保険手袋。  ２４．三本指取替型電気工事手袋。  ２５．三本指取替サックスペアー。  ２６．指サックスペアー留ボタン。  ２７．電気工事部品入れポケット。  ２８．電気工事部品。  ２９．メッシュ布。  ３０．手の甲セム皮布。  ３１．手の甲セム皮布取り付けボタン。  ３２．外科用手術用手袋。  ３３．外科手術手袋の甲の部位、内側に保湿布を入れた物を表わす。  ３４．外科用手袋の甲位の部分に枝を多く持つ細いチューブパイプをして、保湿布に忍ばせ、図の様にしておくと、サイホンの原理が働き、手袋内に貯まる高気圧空気を外部に排出、吸入させ続け、密閉された手袋内を呼吸させ、長時間、手術を楽にさせる効果がある事を示す図であった。  ３５．手術や、細作業をする際に十指を引き締めさせ、作業効率を良くする為に、手術用手袋の内部、内側、根元部位十指に輪ゴムを入れておく事が理想となる図であった。  ３６．サイホン吸気。  ３７．サイホン排気。  ３８．ハップリメント本体図。  ３９．上下開閉式顔面シールドの図であるが、庇の隙間を通して上下開閉が出来る物となる発明があった。  ４０．ワイパー庇の図であるが、「上下開閉式顔面シールドを上下させる事で、顔面シールドグラスをワイピング（掃除）する。  ４１．遮光庇に、ワイパーゴムを付けている事を示している。  ４２．ハップリメット内冷却風取り入れ、スライド孔。  ４３．ハップリメット内、顔面冷却風取り入れスライド板の図であるが２種系路の送風が顔面に流れ込む為に、これをスライドし、開ける事で、顔面シールド内の曇り止めになる事を示している。  ４４．顔面シールド上下開閉器。  ４５．補強器。  ４６．耳電話受信音。  ４７．ハップリメットに張り合わせたベコベコ布。  ４８．ベコベコ貼布の上から指で、耳電話の受信ボタンを押して操作できる事を示している。  ４９．雨除けの為、耳電話のアンテナを下向きに付けてある事を示している。  ５０．通気。  ５１．排気。  ５２．ハップリメット顔面スライド保護板。  ５３．ハップリメット付着喉当布。  ５４．健康甦生保険シャツの本体図であるが、休憩時間等や、不必要時には、首襟部、袖部、腹部位着衣が、今、発明される。「全割チャックで割り取りが出来る事を示している。  ５５．衣服全割チャック。  ５６．「折り返し付日除襟カラーの図」  ５７．襟カラー隠し、被せ布。  ５８．カラー留めボタン。  ５９．取り外し自在襟。  ６０．取り外し自在ネクタイ。  ６１．ネクタイ留め付けボタン。  ６２．取り外し自在襟、頂点安定溝構となり、この溝構の中をネクタイ吊りゴム紐が通る事を示す図。  ６３．汗落し溝。  ６４．チャック隠し布。  ６５．歯科医師治療���具。  ６６．治療器具入れ、サック。  ６７．用具入れサック、手の甲、固定蛸足ボタン。  ６８．用具入容器。釣り人が用いる時には、餌入れとなり、（電気）工事に用いる際には、細部品入れとなり、治療器に用いる際には、脱脂綿、ガーゼ、タンポン入れ等に用いられる。健康手袋留めバンドに附品として常備した場合には、本発明、健康甦生手袋の利使用目的向上品として考案される物であった。  ６９．蓋。  ７０．ヤスリ器。  ７１．吸引器  ７２．電線。  ７３．吸引管。  ７４．コードリール器。  ７５．簿地のオシメを現在製作している様な、保湿性があり、且、通気性のある素材品、全割ジッパー、脱着、面テープ等をこれに付け、ステテコ、ズボン下、腕カバーが制作されるにおいて、休憩時間中に上着を脱いで、これらを身に付けていても、決して不自然ではない工夫がこれにしてある事が望ましかった。
【手続補正２】
【補正対象書類名】図面
【補正対象項目名】全図
【補正方法】変更
【補正の内容】
【図１】
2005325498.tif 000022
【図２】
2005325498.tif 000023
【図３】
2005325498.tif 000024
【図４】
2005325498.tif 000025
【図５】
2005325498.tif 000026
【図６】
2005325498.tif 000027
【図７】
2005325498.tif 000028
【図８】
2005325498.tif 000029
【図９】
2005325498.tif 000030